(57)【特許請求の範囲】
【請求項１】
長尺のシートを巻回したロールを収納する箱形の本体と、前記本体の開口を覆う蓋体とを備えたカートンであって、
前記本体の構成部材として、
底面板と、
前記底面板の外周より立ち上げられた前面板と左右の側面板と背面板と、
前記前面板の左右の側縁にそれぞれ連なると共に前記側縁において折り曲げられて前記側面板の内側に重ねられた前補助板と、
前記前面板の上縁に連なると共に前記上縁において内側に折り曲げられて前記前面板の内側に重ねられた折返板と、
前記折返板の上縁側の左右にそれぞれ連なる折込片であって、前記前面板の側縁よりも左右方向の内側に位置する第一の側縁において内側に折り曲げられることにより先端が前記前補助板に接して、前記前補助板及び前記前面板とで空間を形成した折込片と、
前記背面板の左右の側縁にそれぞれ連なると共に前記側縁において折り曲げられて前記本体の内側に位置し、前記ロールの端部を係止する係止部を有する後補助板と、を備え、
前記蓋体の構成部材として、前記背面板の上縁から傾動可能に連なり前記本体の開口を覆う上面板を有するカートンにおいて、
前記折返板の下縁側の左右にそれぞれ連なる貼着片であって、前記前面板の側縁に重なる前記折返板の第二の側縁において折り曲げられて前記前補助板に重ねて固定された貼着片と、
前記左右の側面板の上縁にそれぞれ連なると共に前記上縁において折り曲げられて内側に突出し、前記本体の開口を前記上面板で覆った状態で前記折込片及び前記前補助板と、前記上面板との間に差し込まれた差込片と、
を有することを特徴とするカートン。
【請求項２】
前記後補助板の係止部が、前記ロールの端部の一部が緩挿される開口部であることを特徴とする請求項１に記載のカートン。
【請求項３】
前記後補助板の係止部が、前記ロールの中心の中空部に緩挿される突出片を有することを特徴とする請求項２に記載のカートン。
【請求項４】
前記差込片が、前記側面板の前記上縁側から先端側に向かってテーパー状になっていることを特徴とする請求項１乃至３のいずれか一項に記載のカートン。
【請求項５】
長尺のシートを巻回したロールを収納する箱形の本体と、前記本体の開口を覆う蓋体とを備えたカートン用のカートンブランクであって、
前記本体の構成部材として、
底面板と、
前記底面板の前縁、左右の側縁、後縁にそれぞれ連なり、前記前縁、側縁、後縁において折り曲げられて立ち上げられる前面板と側面板と背面板と、
前記前面板の左右の側縁にそれぞれ連なり、前記側縁において折り曲げることにより前記側面板の内側に重なる前補助板と、
前記前面板の前縁に連なり、前記前縁において折り曲げることにより前記前面板の内側に重なる折返板と、
前記折返板の後縁側の左右にそれぞれ連なる折込片であって、前記前面板の側縁よりも左右方向の内側に位置する第一の側縁において折り曲げることにより先端が前記前補助板に接して、前記前補助板及び前記前面板とで空間を形成する折込片と、
前記背面板の左右の側縁にそれぞれ連なり、前記側縁において折り曲げることにより前記本体の内側に位置し、前記ロールの端部を係止する係止部を有する後補助板と、を備え、
前記蓋体の構成部材として、前記背面板の後縁に連なり、前記後縁において折り曲げることにより傾動可能に前記本体の開口を覆う上面板、
を有するカートンブランクにおいて、
前記折込片に隣接して前記折返板の左右に連なる貼着片であって、前記前面板の側縁の延長上に位置する第二の側縁において折り曲げることにより前記前補助板に重ねて固定される貼着片と、
前記底面板より立ち上げた際に前記左右の側面板の上縁となる辺にそれぞれ連なると共に前記上縁となる辺において折り曲げることにより前記本体の内側に突出し、前記本体の開口を前記上面板で覆った状態で前記折込片と前記上面板との間、及び前記前補助板と前記上面板との間に差し込まれる差込片と、
を有し、
前記折込片と前記前補助板との間に、前記差込片を差し込むための間隙が形成されていることを特徴とするカートンブランク。
【請求項６】
前記貼着片が、前記折込片よりも外側に突出し、前記折込片の先端側端辺に接して前記折込片の先端側に延設されていることを特徴とする請求項５に記載のカートンブランク。
【請求項７】
前記貼着片と前記折込片とが、ニックによって互いに繋がっていることを特徴とする請求項５又は６に記載のカートンブランク。
【請求項８】
前記後補助板の係止部が、前記ロールの端部の一部が緩挿される開口部であることを特徴とする請求項５乃至７のいずれか一項に記載のカートンブランク。
【請求項９】
前記後補助板の係止部が、前記ロールの中心の中空部に緩挿される突出片を有することを特徴とする請求項８に記載のカートンブランク。
【請求項１０】
前記差込片が、前記側面板の前記上縁側から先端側に向かってテーパー状になっていることを特徴とする請求項５乃至９のいずれか一項に記載のカートンブランク。
【発明の詳細な説明】
【技術分野】
【０００１】
本発明は、ラップフィルムやクッキングシート、アルミホイル等のシートをロール状に巻回して収納するためのカートンと、該カートン用のカートンブランクに関する。
【背景技術】
【０００２】
従来、ラップフィルムやクッキングシート、アルミホイル等のシートの包装形態としては、長尺のシートを巻回してロール状とし、箱形の本体と蓋体とが一体化されたカートンに収納して、所望の長さだけ引き出し、該カートンに取り付けられた切断刃で切断して用いる形態が一般的である。係るカートンは通常、１枚の厚紙や段ボールを折り曲げ、所定の箇所を接着剤等で固定することによって長尺の直方体に成形されている。
【０００３】
上記カートンにおいては、収納したロールからシートを引き出す際に、ロールが外へ飛び出してしまうおそれがあった。
【０００４】
特許文献１には、ロールを収納する本体の前面板の上縁に折返片を、該折返片の側縁に第１の折込片を、前面板の側縁に第２の折込片を、後面板の側縁に第３の折込片をそれぞれ設け、第１の折込片を前面板の左右の側縁よりも内側で折り曲げることにより、第２の折込片との間に空間を形成し、該空間によって第３の折込片を内側に配置することで、該第３の折込片によってロールの心材を保持し、ロールの脱落を防止したカートンが開示されている。
【先行技術文献】
【特許文献】
【０００５】
【特許文献１】特開２００９−１３２３９７号公報
【発明の概要】
【発明が解決しようとする課題】
【０００６】
特許文献１に開示されたカートンにおいて、ロールの飛び出し防止効果を高めるために、側面板の上縁に本体の内側に突出する差込片を設けた場合、第３の折込片によってロールを保持する作用が十分に得られない場合があった。
【０００７】
本発明の課題は、上記課題に鑑み、後面板の側縁に連なる第３の折込片によってロールを保持する作用と、側面板の上縁に連なる差込片によってロールの飛び出しを防止する作用とを、良好に得られるカートンを提供することにある。
【課題を解決するための手段】
【０００８】
本発明の第一は、長尺のシートを巻回したロールを収納する箱形の本体と、前記本体の開口を覆う蓋体とを備えたカートンであって、
前記本体の構成部材として、
底面板と、
前記底面板の外周より立ち上げられた前面板と左右の側面板と背面板と、
前記前面板の左右の側縁にそれぞれ連なると共に前記側縁において折り曲げられて前記側面板の内側に重ねられた前補助板と、
前記前面板の上縁に連なると共に前記上縁において内側に折り曲げられて前記前面板の内側に重ねられた折返板と、
前記折返板の上縁側の左右にそれぞれ連なる折込片であって、前記前面板の側縁よりも左右方向の内側に位置する第一の側縁において内側に折り曲げられることにより先端が前記前補助板に接して、前記前補助板及び前記前面板とで空間を形成した折込片と、
前記背面板の左右の側縁にそれぞれ連なると共に前記側縁において折り曲げられて前記本体の内側に位置し、前記ロールの端部を係止する係止部を有する後補助板と、を備え、
前記蓋体の構成部材として、前記背面板の上縁から傾動可能に連なり前記本体の開口を覆う上面板を有するカートンにおいて、
前記折返板の下縁側の左右にそれぞれ連なる貼着片であって、前記前面板の側縁に重なる前記折返板の第二の側縁において折り曲げられて前記前補助板に重ねて固定された貼着片と、
前記左右の側面板の上縁にそれぞれ連なると共に前記上縁において折り曲げられて内側に突出し、前記本体の開口を前記上面板で覆った状態で前記折込片及び前記前補助板と、前記上面板との間に差し込まれた差込片と、
を有することを特徴とする。
【０００９】
上記本発明のカートンにおいては、下記の構成を好ましい態様として含む。
前記後補助板の係止部が、前記ロールの端部の一部が緩挿される開口部であること。
前記後補助板の係止部が、前記ロールの中心の中空部に緩挿される突出片を有すること。
前記差込片が、前記側面板の前記上縁側から先端側に向かってテーパー状になっていること。
【００１０】
本発明の第二は、長尺のシートを巻回したロールを収納する箱形の本体と、前記本体の開口を覆う蓋体とを備えたカートン用のカートンブランクであって、
前記本体の構成部材として、
底面板と、
前記底面板の前縁、左右の側縁、後縁にそれぞれ連なり、前記前縁、側縁、後縁において折り曲げられて立ち上げられる前面板と側面板と背面板と、
前記前面板の左右の側縁にそれぞれ連なり、前記側縁において折り曲げることにより前記側面板の内側に重なる前補助板と、
前記前面板の前縁に連なり、前記前縁において折り曲げることにより前記前面板の内側に重なる折返板と、
前記折返板の後縁側の左右にそれぞれ連なる折込片であって、前記前面板の側縁よりも左右方向の内側に位置する第一の側縁において折り曲げることにより先端が前記前補助板に接して、前記前補助板及び前記前面板とで空間を形成する折込片と、
前記背面板の左右の側縁にそれぞれ連なり、前記側縁において折り曲げることにより前記本体の内側に位置し、前記ロールの端部を係止する係止部を有する後補助板と、を備え、
前記蓋体の構成部材として、前記背面板の後縁に連なり、前記後縁において折り曲げることにより傾動可能に前記本体の開口を覆う上面板、
を有するカートンブランクにおいて、
前記折込片に隣接して前記折返板の左右に連なる貼着片であって、前記前面板の側縁の延長上に位置する第二の側縁において折り曲げることにより前記前補助板に重ねて固定される貼着片と、
前記底面板より立ち上げた際に前記左右の側面板の上縁となる辺にそれぞれ連なると共に前記上縁となる辺において折り曲げることにより前記本体の内側に突出し、前記本体の開口を前記上面板で覆った状態で前記折込片と前記上面板との間、及び前記前補助板と前記上面板との間に差し込まれる差込片と、
を有し、
前記折込片と前記前補助板との間に、前記差込片を差し込むための間隙が形成されていることを特徴とする。
【００１１】
上記本発明第二のカートンブランクにおいては、下記の構成を好ましい態様として含む。
前記貼着片が、前記折込片よりも外側に突出し、前記折込片の先端側端辺に接して前記折込片の先端側に延設されていること。
前記貼着片と前記折込片とが、ニックによって互いに繋がっていること。
前記後補助板の係止部が、前記ロールの端部の一部が緩挿される開口部であること。
前記後補助板の係止部が、前記ロールの中心の中空部に緩挿される突出片を有すること。
前記差込片が、前記側面板の前記上縁側から先端側に向かってテーパー状になっていること。
【発明の効果】
【００１２】
本発明のカートンブランクにおいては、隣接する貼着片によって折込片が補強され、カートンに成形する際に、該折込片を所望の位置で折り曲げることができる。よって、後補助板が該折込片によって内側に良好に押圧され、後補助板によってロールの端部が良好に保持される。また、本発明のカートンにおいては、側面板の上縁に設けられた差込片が本体の内側に突出し、ロールが抑えられる。よって、本発明のカートンにおいては、後補助片と差込片の両作用によって、ロールからシートを引き出す際に、ロールの飛び出しを良好に防止することができる。
【図面の簡単な説明】
【００１３】
【図１】本発明のカートンブランクの一実施形態を示す平面図である。
【図２】図１のカートンブランクを用いて成形したカートンを開封する様子を示した斜視図である。
【図３】図１のカートンブランクを用いて成形したカートンの開封し、蓋体を開けた状態を示す斜視図である。
【図４】（ａ）は図１のカートンブランクの一方の折込片及び貼着片とその周辺の部分拡大図であり、（ｂ）は折込片と貼着片とをニックで接続した形態を示す部分拡大図である。
【図５】図１のカートンブランクを用いて成形したカートンの側面板周辺の構成を示す図であり、（ａ）は一方の側面板の内側を示す斜視図、（ｂ）は本体を上方から見た図である。
【図６】本発明のカートンブランクの他の実施形態を示す平面図である。
【図７】図６のカートンブランクの一方の折込片及び貼着片とその周辺の部分拡大図である。
【図８】従来のカートンブランクに対して、折込片の間に差込片を差し込むための間隙を設けた例を示す平面図である。
【発明を実施するための形態】
【００１４】
本発明者等は、従来のカートンにおいて、ロールの保持作用が得られにくくなる原因を詳細に調査した。その結果、次のようなことがわかった。
【００１５】
特許文献１に開示されたカートンにおいては、第１の折込片と第２の折込片とが互いに接していることにより、第２の折込片を折り曲げた際に第１の折込片もこれに追従して折れ曲がり、空間が形成される。係る構成において、側面板の上縁に本体の内側に突出する差込片を設けた場合、実際には図８に示すように、該差込片を差し込む間隙を設けるために、第１の折込片（９１ａ）と第２の折込片（２１ａ）との間に間隙９３ａ，９３ｂを形成する必要があった。
【００１６】
第１の折込片と第２の折込片との間に間隙を形成した場合、第１の折込片の強度が低下し、カートンブランクをカートンに成形する過程で、第１の折込片の先端側が、本来触れることのない想定外の部材に触れた場合に、該先端側が反ったり、所望の位置よりも外側で折れ曲がったりすることにより、第１の折込片が所望の位置において折れ曲がらず、後補助板を内側に配置する作用が得られなくなることがわかった。
【００１７】
本発明は、上記知見に基づき、達成した発明であり、側面板の上縁に差込片を、前面板の上縁に連なる折返板の側縁に折込片をそれぞれ設けた構成において、折込片に隣接して貼着片を設けることにより、折込片の所望の位置での折り曲げを確実に行って、ロールの飛び出し防止効果を高めたカートンである。
【００１８】
以下、図面を参照して本発明の実施形態を説明するが、本発明は下記実施形態に限定されない。また、以下に参照する図面において、同じ符号は同様の構成要素を示す。本発明において「幅」方向及び「左右」方向とは、カートンに収納したロールの幅方向であり、図１における紙面上下方向を指す。また、「高さ」方向とは、カートンにおける高さ方向であり、「奥行き」方向とは、上記幅方向及びカートンの高さ方向に直行する方向である。さらに、図１のカートンブランクにおいて、折返板８０側が「前」、開封板７０側が「後」を指す。
【００１９】
本発明に係るカートン及び該カートン用のカートンブランクを図面を用いて詳細に説明する。
【００２０】
図１に、本発明のカートンブランクの一実施形態を、図２，図３に図１のカートンブランクを用いて成形したカートンを示す。また、図４（ａ）には、図１のカートンブランクの一方の折込片と貼着片、及びこれらの周辺部の拡大図を、図４（ｂ）には、図４（ａ）の応用例を、図５には図１のカートンブランクを用いて成形したカートンの本体の一方の側面板の内側の斜視図と側面板周辺の上面図とを示す。尚、図１，図４中の一点鎖線は山折り部を、破線は谷折り部を示す。また、図４，図５（ａ）においては、カートンブランク又はカートンの幅方向の一方の側のみを図示しているが、他方の側においても全く同じ構成である。さらに、便宜上、図５（ａ）においては差込片３１ａ及び前面板２０を、図５（ｂ）においては差込片３１ａの図示をそれぞれ省略する。
【００２１】
本発明のカートンは、本体１００と、蓋体２００と、切断刃３００とを備えており、本体１００内にシート４０１の捲回ロール４００を収納して包装体とする。
【００２２】
本発明のカートンは、図１に示すように、切断刃３００以外は１枚のシート材からカートンブランクを切り出し、折り曲げて所定の箇所を接着剤等により固定することにより成形することができる。本発明のカートンブランクに用いられるシート材としては、通常、弾性、柔軟性を有する厚紙や段ボール紙であり、表面に適宜樹脂層をコーティングしたものなども好ましく用いられる。また、切断刃３００は金属、樹脂、紙から別途形成され、蓋体２００の所定の位置に取り付けられるが、特に近年は蓋体２００から取り外さずに包装箱ごと廃棄できるように、紙製が好ましく用いられている。
【００２３】
本発明のカートンに収納されるシート４０１としては、主に食品、調理用のラップフィルムやアルミホイル、クッキングシートであるが、同様のシート状の包装材であれば特に用途は限定されない。これらシート４０１は長尺シートの形態で提供され、円筒形の芯材に巻き取って、或いは芯材を用いずに円筒形に巻き取ってロール４００とし、本発明のカートンの本体１００内に収納される。
【００２４】
図１に示すように、本発明のカートンブランクは、本体１００の構成部材として、底面板１０と、該底面板１０の前縁１２ｃ、左右の側縁１２ａ，１２ｂ、後縁１２ｄにそれぞれ連なる前面板２０と側面板３０ａ，３０ｂと背面板４０とを備えている。これら前面板２０と側面板３０ａ，３０ｂと背面板４０は、底面板１０の前縁１２ｃ、左右の側縁１２ａ，１２ｂ、後縁１２ｄを折り部として９０°に折り曲げて底面板１０より立ち上げることにより、箱形の本体１００が形成される。
【００２５】
そして、本発明のカートンブランクは、前面板２０の左右の側縁２２ａ，２２ｂにそれぞれ連なる前補助板２１ａ，２１ｂを備え、これら前補助板２１ａ，２１ｂは前面板２０の側縁２２ａ，２２ｂを折り部として９０°に折り曲げることにより、図５（ｂ）に示すように、側面板３０ａ，３０ｂの内側に重なり、必要に応じて側面板３０ａ，３０ｂに接着剤等で固定される。
【００２６】
また、本発明のカートンブランクは、前面板２０の前縁（カートンの本体１００において上縁）２２ｃに連なる折返板８０を備えており、該折返板８０は、前面板２０の前縁２２ｃを折り部として折り曲げることにより、前面板２０の内側に重なり、必要に応じて接着剤等で前面板２０に固定される。
【００２７】
さらに、図１，図４（ａ）に示すように、折返板８０の後縁（カートンの本体１００において上縁、前面板２０の前縁２２ｃ）側の左右には、折込片９１ａ，９１ｂが連なっており、該折込片９１ａ，９１ｂを、前面板２０の側縁２２ａ，２２ｂよりも左右方向の内側に位置する第一の側縁８１ａ，８１ｂを折り部として本体１００の内側に向けて折り曲げることにより、該折込片９１ａ，９１ｂの先端が前補助板２１ａ，２１ｂに接して、前補助板２１ａ，２１ｂ及び前面板２０との間で空間を形成する。
【００２８】
さらにまた、図１に示すように、背面板４０の左右の側縁４２ａ，４２ｂには後補助板４１ａ，４１ｂが連なっており、該後補助板４１ａ，４１ｂは、背面板４０の側縁４２ａ，４２ｂを折り部として９０°折り曲げることにより、図５（ａ）、（ｂ）に示すように、本体１００の内側であって、側面板３０ａ，３０ｂ、前補助板２１ａ，２１ｂ、折込片９１ａ，９１ｂよりも内側に配置される。後補助板４１ａ，４１ｂは、ロール４００の端部を係止するための係止部４３ａ，４３ｂを備えている。また、後補助板４１ａ，４１ｂは、必要に応じて背面板４０の側縁４２ａ，４２ｂ近傍において側面板３０ａ，３０ｂの内側に接着剤等で固定されるが、係止部４３ａ，４３ｂ周辺部及び前面板２０側は固定されない。
【００２９】
本発明のカートンにおいては、図５（ａ），（ｂ）に示すように、折込片９１ａ，９ａｂが前補助板２１ａ，２１ｂ及び前面板２０との間で空間９５ａ，９５ｂを形成していることにより、最も内側に位置する後補助板４１ａ，４１ｂは、折込片９１ａ，９１ｂによってより内側、即ちロール４００の端部に向けて押圧され、後補助板４１ａ，４１ｂに設けられた係止部４３ａ，４３ｂがロール４００の端部を係止して、ロール４００が後補助板４１ａ，４１ｂによって保持される。
【００３０】
本実施形態では、後補助板４１ａ，４１ｂに、係止部４３ａ，４３ｂとして開口部４４ａ，４４ｂと突出片４５ａ，４５ｂとを設けているため、開口部４４ａ，４４ｂにロール４００の端部が緩挿され、さらに、ロール４００の中心の中空部に突出片４５ａ，４５ｂが緩挿され、ロール４００の端部が後補助板４１ａ，４１ｂに良好に保持される。
【００３１】
また、本実施形態では、係止部４３ａ，４３ｂとして、開口部４４ａ，４４ｂと突出片４５ａ，４５ｂとを設けた形態を示したが、本発明においてはこれらに限定されず、開口部のみ、突出片のみであってもかまわない。
【００３２】
そして、蓋体２００の構成部材としては、図１に示すように、背面板４０の後縁（カートンの本体１００における上縁）４２ｃに連なる上面板５０を備えている。上面板５０は、背面板４０の上縁４２ｃにおいて折り曲げられ、傾動可能に本体１００の開口を覆う。本実施形態では、上面板５０の後縁５２に懸垂板６０が連なっており、懸垂板６０は、上面板５０の後縁５２において９０°折り曲げることにより、蓋体２００を閉じた際に前面板２０の表側に重なる。本実施形態では、上面板５０の左右に側縁５３ａ，５３ｂに連なる上補助板５１ａ，５１ｂを備え、懸垂板６０の左右に側縁６２ａ，６２ｂに連なる懸垂補助板６１ａ，６１ｂを備えており、上補助板５１ａ，５１ｂを上面板５０の側縁５３ａ，５３ｂを折り部として９０°折り曲げ、懸垂補助板６１ａ，６１ｂを懸垂板６０の側縁６２ａ，６２ｂを折り部として９０°折り曲げ、懸垂補助板６１ａを上補助板５１ａに、懸垂補助板６１ｂを上補助板５１ｂにそれぞれ重ねて接着剤等により固定することで、蓋体２００の形状を固定することができる。
【００３３】
蓋体２００には、図２〜図４に示すようにシート４０１を切断するための切断刃３００が取り付けられており、該切断刃３００は、懸垂板６０の後縁（カートンの蓋体２００における下縁）６０ａから先端が突出するように懸垂板６０の内側に取り付けられる。また、切断刃３００は金属、樹脂、紙から別途形成され、所定の位置に取り付けられる。
【００３４】
本実施形態においては、図１に示すように、懸垂板６０の後縁６０ａには切り離し容易な切断線７１を介して開封板７０が配置されており、該開封板７０を本体１００の前面板２０に接着剤等によって貼付することで蓋体２００を本体１００に固定する。この時、懸垂板６０の内側に取り付けられた切断刃３００の先端は開封板７０によって覆われ、開封時には図２に示すように、切断線７１において開封板７０を切り離すことによって蓋体２００は開放可能となり、切断刃３００の先端が露出してシート４０１の切断が可能となる。また、本例では、懸垂板６０と開封板７０との高さの合計Ｈ２と前面板２０の高さＨ１とが等しく、カートンを成形した際に、開封板７０の下縁が前面板２０の下縁１２ｃに一致する。
【００３５】
本発明のカートンブランクの特徴は、折込片９１ａ，９１ｂにそれぞれ隣接して、折返板８０の左右に貼着片９２ａ，９２ｂを設けたことと、カートンにおいて側面板３０ａ，３０ｂの上縁となる辺（以下、上縁）３２ａ，３２ｂにそれぞれ連なる差込片３１ａ，３１ｂを設けたことと、折込片９１ａ，９１ｂと前補助板２１ａ，２１ｂとの間に、差込片３１ａ，３１ｂを差し込むための間隙９３ａ，９３ｂを形成したことにある。そして、貼着片９２ａ，９２ｂは、前面板２０の側縁２２ａ，２２ｂの延長上に位置する第二の側縁８２ａ，８２ｂを折り部として折り曲げることにより、図５（ａ）、（ｂ）に示すように、前補助板２１，２１ｂに重ねて接着剤等により固定される。また、差込片３１ａ，３１ｂはそれぞれ、側面板３０ａ，３０ｂの上縁３２ａ，３２ｂを折り部として９０°折り曲げることにより、本体１００の内側に突出し、本体１００の開口を上面板５０で覆った状態で折込片９１ａ，９１ｂと上面板５０との間、及び、前補助板２１ａ，２１ｂと上面板５０との間に差し込まれる。
【００３６】
差込片３１ａ，３１ｂは、図３に示すように、本体１００の開口部において内側に突出することで、ロール４００の飛び出しを防止する。
【００３７】
差込片３１ａ，３１ｂを差し込むためには、本体１００の開口を上面板５０で覆った状態で、折込片９１ａ，９１ｂと上面板５０との間、及び、前補助板２１ａ，２１ｂと上面板５０との間に、差込片３１ａ，３１ｂの厚さ以上の間隙が必要である。係る間隙が、図１のカートンブランクにおける間隙９３ａ，９３ｂであり、図４（ａ）に示すように、前面板２０の前縁２２ｃの延長上の仮想線２２ｄを中心として、前補助板２１ａの端辺２３ａと、折込片９１ａの端辺９４ａとが、ｔ１の距離離れているように形成される。そして、ｔ１／２が差込片３１ａ，３１ｂの厚さ以上に形成されていればよい。
【００３８】
尚、差込片３１ａ，３１ｂは図１に示すように、差し込みが容易なように、側面板３０ａ，３０ｂの上縁３２ａ，３２ｂ側から先端側に向かってテーパー状に形成されていることが好ましく、よって、間隙９３ａ，９３ｂは、少なくとも前補助板２１ａ，２１ｂ及び折込片９１，９１ｂの先端側に設けていれば良い。図１の実施形態では、前補助板２１ａ，２１ｂについては、前面板２０の側縁２２ａ，２２ｂ側において、長さｔ２分だけ間隙９３ａが形成されていない。ｔ２が長すぎると、差込片３１ａ，３１ｂが差し込みにくくなるため、側面板３０ａ，３０ｂの寸法が４０ｍｍ×４０ｍｍの一般的なカートンにおいて、ｔ２は５ｍｍ以下とすることが好ましい。
【００３９】
また、後補助板４１ａ，４１ｂについては、前述のように、折込片９１ａ，９１ｂによって前面板２０側が内側に押圧されるため、差込片３１ａ，３１ｂの差し込みに影響を及ぼしにくいため、上面板５０との間に間隙を設けなくてもかまわない。
【００４０】
本発明のカートンブランクにおいては、図１、図４（ａ）に示すように、折込片９１ａ，９１ｂに貼着片９２ａ，９２ｂが隣接している。よって、貼着片９２ａ，９２ｂと折込片９１ａ，９１ｂとが互いに接触する端辺同士の摩擦によって一体化しており、折込片９１ａ，９１ｂの先端が何らかの部材に接触した場合であってもその影響を受けにくく、折込片９１ａ，９１ｂの先端側が反ったり、折れ曲がるおそれがない。
【００４１】
これに対して、図８に示すように貼着片９２ａ，９２ｂがない場合、折込片９１ａ，９１ｂは先端が何らかの部材に接触することで先端が容易に反ったり、第一の側縁８１ａよりも外側で折れ曲がってしまう。その結果、図５（ａ）、（ｂ）に示した空間９５ａを形成することができず、後補助板４１ａを内側に押圧することができなくなってしまう。
【００４２】
本発明において、折返板８０の高さＨ３は、折込片９１ａ，９１ｂの作用が得られる範囲で、前面板２０の高さＨ１より小さい。具体的には、側面板３０ａ，３０ｂが４０ｍｍ×４０ｍｍ、即ちＨ１が４０ｍｍの一般的なカートンである場合において、Ｈ３は１５ｍｍ〜２０ｍｍ程度である。また、折込片９１ａ、９１ｂの高さＨ４及び貼着片９２ａ，９２ｂの高さＨ５はそれぞれ７ｍｍ〜１０ｍｍ程度が好ましく、互いに等しくても異なっていても良い。
【００４３】
また、折込片９１ａ，９１ｂが前補助板２１ａ，２１ｂ及び前面板２０とで図５（ｂ）に示した空間９５ａ，９５ｂを形成する上で、第一の側縁８１ａ，８１ｂはｔ３＝５ｍｍ〜１０ｍｍとなるように前面板２０の側縁２２ａ，２２ｂよりも内側に位置していることが好ましい。また、適度な空間９５ａを形成する上で、折込片９１ａ，９１ｂの奥行きＤ３は、Ｈ１が４０ｍｍの一般的なカートンにおいて、１５ｍｍ〜２０ｍｍであり、前補助板２１ａ，２１ｂの奥行きＤ２は１６ｍｍ〜２０ｍｍ程度である。本例では、貼着片９２ａ，９２ｂの先端が折込片９１ａ，９１ｂの先端と揃い、貼着片９２ａ，９２ｂの奥行きＤ４が、Ｄ３−ｔ３に一致しているが、本発明では係る形態に限定されるものではない。貼着片９２ａ，９２ｂは、前補助板２１ａ，２１ｂに良好に固定する上で、貼着片９２ａ，９２ｂの奥行きＤ４が、前補助板２１ａ，２１ｂの奥行きＤ２以下となるように形成することが好ましい。
【００４４】
本発明においては、上記のように、貼着片９２ａ，９２ｂが折込片９１ａ，９１ｂに隣接することで、折込片９１ａ，９１ｂを補強しているが、図４（ｂ）に示すように、貼着片９２ａと折込片９１ａとを長さが０．５ｍｍ〜２ｍｍ程度のニック９１ｃで繋いでおくことにより、係る補強効果をより高く得ることができる。ニック９１ｃは、カートンブランクからカートンを成形する際に容易に切断される。
【００４５】
図６は本発明のカートンブランクの他の実施形態を示す上面図である。本実施形態は、貼着片９２ａ，９２ｂを折込片９１ａ，９１ｂよりも幅方向において外側に突出させ、折込片９１ａ，９１ｂの先端側に延設した形態である。係る形態では、図６，図７に示すように、貼着片９２ａ，９２ｂの端辺が折込片９１ａ，９１ｂの先端側端辺にまで接触しているため、貼着片９２ａ，９２ｂと折込片９１ａ，９１ｂとの接触距離が長く、貼着片９２ａ，９２ｂによる折込片９１ａ，９１ｂの補強効果がより高く得られる。
【００４６】
尚、図６，図７に示した実施形態においても、図４（ｂ）に示したように、貼着片９２ａ，９２ｂと折込片９１ａ，９１ｂとをニック９１ｃでつなぐことでより高い補強効果が得られる。
【００４７】
また、図６，図７に示した実施形態では、折込片９１ａ，９１ｂについても、第一の側縁８１ａ，８１ｂ側において、間隙９３ａ，９３ｂが設けられていない領域ｔ２が存在するが、係るｔ２は図４（ａ）で示したｔ２と同様である。また、間隙９３ａ，９３ｂの幅ｔ１や折込片９１ａ，９１ｂの奥行きＤ３、貼着片９２ａ，９２ｂの奥行きＤ４についても、図４（ａ）で示したｔ１，Ｄ３，Ｄ４と同様である。
【００４８】
本発明のカートンブランクをカートンに成形する手順は以下の通りである。
【００４９】
懸垂板６０の後縁６０ａに切断刃３００を取り付ける。
【００５０】
折返板８０を前面板２０の前縁２２ｃにおいて折り曲げて前面板２０に接着剤等で固定する。この時、折返板８０に連なる貼着片９２ａ，９２ｂも接着剤を介して前補助板２１ａ，２１ｂに固定する。
【００５１】
底面板１０の前縁１２ｃ、後縁１２ｄをそれぞれ折り曲げ部として前面板２０，背面板４０を折り曲げて底面板１０より立ち上げ、さらに、背面板４０から上面板５０を、上面板５０から懸垂板６０をそれぞれ折り曲げ、開封板７０を前面板２０に接着剤等で固定する。
【００５２】
左右のいずれか一方の開口を閉じる。以下の記載では、便宜上、側面板３０ａ側を先に閉じる手順を示す。
【００５３】
後補助板４１ａを背面板４０の側縁４２ａを折り部として折り曲げ、次いで貼着片９２ａが固定された前補助板２１ａを前面板２０の側縁２２ａを折り部として折り曲げる。貼着片９２ａは、側縁２２ａに重なる第二の側縁８２ａを折り部として折り曲げられる。この時、折込片９１ａは第一の側縁８１ａを折り部として折り曲げられる。
【００５４】
側面板３０ａを底面板１０の側縁１２ａを折り部として折り曲げて底面板１０より立ち上げ、差込片３１ａを側面板３０ａの上縁３２ａを折り部として折り曲げて前補助板２１ａと上面板５０との間、及び折込片９１ａと上面板５０との間に差し込む。
【００５５】
懸垂板６０の側縁６２ａを折り部として懸垂補助板６１ａを折り曲げ、上補助板５１ａを上面板５０の側縁５３ａを折り部として折り曲げ、懸垂補助板６１ａと上補助板５１ａとを接着剤で互いに固定する。この時点でカートンの左右の一方が閉じられ、他方が開口した状態となる。
【００５６】
他方の開口より、カートン内にロール４００を収納する。閉じられた側では後補助板４１ａの係止部４３ａにロール４００の一方の端部が係止される。
【００５７】
上記一方の開口を閉じる場合と同じ手順で他方の開口を閉じることにより、他方の後補助板４１ｂの係止部４３ｂにロール４００の他方の端部が係止され、ロール４００が本発明のカートンに収納された包装体が得られる。
【符号の説明】
【００５８】
１０：底面板、１２ａ，１２ｂ：底面板の側縁、１２ｃ：底面板の前縁、１２ｄ：底面板の後縁、２０：前面板、２１ａ，２１ｂ：前補助板、２２ａ，２２ｂ：前面板の側縁、２２ｃ：前面板の前縁（上縁）、２３ａ：前補助板の端辺、３０ａ，３０ｂ：側面板、３１ａ，３１ｂ：差込片、３２ａ，３２ｂ：側面板の上縁、４０：背面板、４１ａ，４１ｂ：後補助板、４２ａ，４２ｂ：背面板の側縁、４２ｃ：背面板の後縁（上縁）、４３ａ，４３ｂ：係止部、４４ａ，４４ｂ：開口部、４５ａ，４５ｂ：突出片、５０：上面板、５１ａ，５１ｂ：上補助板、５２：上面板の後縁、５３ａ，５３ｂ：上面板の側縁、６０：懸垂板、６０ａ：懸垂板の後縁（下縁）、６１ａ，６１ｂ：懸垂補助板、７０：開封板、７１：開封線、８０：折返板、８０ａ：折返板の前縁（下縁）、８１ａ，８１ｂ：折返板の第一の側縁、８２ａ，８２ｂ：折返板の第二の側縁、９１ａ，９１ｂ：折込片、９１ｃ：ニック、９２ａ，９２ｂ：貼着片、９３ａ，９３ｂ：間隙、９４ａ：折込片の端辺、９５ａ，９５ｂ：空間、１００：本体、２００：蓋体、３００：切断刃、４００：ロール、４０１：シート
【図１】
0006564664.tif 000002
【図２】
0006564664.tif 000003
【図３】
0006564664.tif 000004
【図４】
0006564664.tif 000005
【図５】
0006564664.tif 000006
【図６】
0006564664.tif 000007
【図７】
0006564664.tif 000008
【図８】
0006564664.tif 000009